(57)【要約】【課題】密閉されたトイレ等の内部において非常事態が発生したとき、外側からの手荒な操作が全く不要で、下部ヒンジとしてグレビテイヒンジを用いた開き戸の扉下部を容易に取外し、密閉状態を開放可能な非常対策付きヒンジを得る。【解決手段】開き戸の枠体下部に固着された垂直基板と突出する水平基板とで形成された下部支持材の該水平基板に立設される下部軸に嵌着され上向き傾斜カム面を有する下側カム部と、扉下部に固着された扉取付材に装着され下向き傾斜カム面を有する上側カム部との該各傾斜カム面を向合わせて下部軸回り扉を開閉可能とした下部ヒンジであって、外れ止め具を用い下部軸を通常時にあっては該外れ止め具との係止によって水平基板に固定し、非常時にあっては係止解除により下部軸を水平基板から脱落せしめ、扉下部を取外し可能とした非常対策付きヒンジである。【選択図】        図１
2004263530.tif 000002
【特許請求の範囲】
【請求項１】
開き戸の枠体下部に固着された垂直基板と突出する水平基板とで形成された下部支持材の該水平基板に立設される下部軸に嵌着され上向き傾斜カム面を有する下側カム部と、扉下部に固着された扉取付材に装着され下向き傾斜カム面を有する上側カム部との該各傾斜カム面を向合わせて前記下部軸回り前記扉を開閉可能とした下部ヒンジであって、外れ止め具を用い前記下部軸を通常時にあっては該外れ止め具との係止によって前記水平基板に固定し、非常時にあっては係止解除により前記下部軸を前記水平基板から脱落せしめ、前記扉下部を取外し可能としたことを特徴とする非常対策付きヒンジ。
【請求項２】
イ）外れ止め具は一方側に略Ｕ字形の切欠部が穿設された止め板の一対を垂直基板に嵌着可能な間隔で平行におき他方端を繋ぎ、一方端は開口状態とされて略コ字形に形成され、ロ）下部軸は中部から上部は円柱部とし、下部に該円柱部より僅かに大きい円に内接する多角形縁部と、該多角形縁部の中間に間隔をおいて一対の円形細溝をおき、該円形細溝に前記切欠部が嵌合可能とされ、ハ）水平基板には前記多角形縁部が嵌合可能な多角形孔が穿設され、ニ）前記円形細溝に案内されて前記切欠部を水平基板の自由端部側より押込み、前記下部軸を前記外れ止め具と係止させることを特徴とする請求項１に記載の非常対策付きヒンジ。
【請求項３】
イ）外れ止め具はピン状で直線部を含み、ロ）下部軸は中部から上部は円柱部とし、下部に前記円柱部より僅かに大きい円に内接する多角形縁部と、下端部に該縁部より僅かに大きいフランジとが連設され、該縁部に該下部軸の軸芯を通り直交する前記直線部が挿入可能な止め孔が穿設され、ハ）下側カム部外側の円筒状体の下端部周囲に前記縁部の角数と同数の前記直線部が挿入可能な周辺孔が穿設され、ニ）水平基板には前記多角形縁部が嵌合可能な多角形孔が穿設され、ホ）前記外れ止め具の直線部を前記周辺孔から前記止め孔に挿入し、前記下部軸を外れ止め具と係止させることを特徴とする請求項１に記載の非常対策付きヒンジ。
【発明の詳細な説明】
【０００１】
【発明の属する技術分野】
本発明は、トイレ等の開き戸に用いる下部ヒンジの改良で非常対策付きヒンジに関する。
【０００２】
【従来の技術】
トイレ等の開き戸の扉に手を掛けて開いたときに手を離すと自動的に閉鎖可能な下部ヒンジとしてグレビテイヒンジを用いた扉がある（例えば、特許文献１参照。）。
下部ヒンジに対とし用いられる上部ヒンジとして各種のものがあるが、例えば枠上部に固着された永久磁石によって上部ヒンジ軸を吸着可能としたもの（例えば、特許文献２参照。）、上部ヒンジ軸の下方にコイルばねを介在させて上方に付勢可能としたもの（例えば、特許文献１参照。）等がある。
又、扉を閉じた時にスライド式のロックバーによって内側より施錠し、外側に使用中であることを表示窓を通して目視可能な色分け表示部分を有する表示装置がある（例えば、特許文献３参照。）。
トイレ等の開き戸の開閉と施解錠用ヒンジとしては、上記特許文献１〜３に記載の各構成要素を適宜組合わせたものが多用されているが、近時外側より目視可能な表示装置は外観上煩わしく美的でないとしてこれを廃止し扉外側には全く表示を設けないとすることが行われている。
【０００３】
【特許文献１】
特開２００１−２０７７２０号公報（［００１２］〜［００１５］、第１、２、４、５図）
【特許文献２】
特開２００２−２１４１１号公報（［請求項１］、［００１９］〜［００２２］、［図２］、［図６］）
【特許文献３】
実開平７−１４０４２号公報（［請求項１］、［０００５］〜［０００７］［図１］、［図２］、［図４］）
【０００４】
【発明が解決しようとする課題】
しかし従来の開き戸において、例えば老人、身障者の人が使用中のトイレ等の扉をロックしたまま倒れるような非常事態が発生したとき、これを救出するには外側から脚立を立て、棒等を使って施錠状態のロックバーを遠隔操作して解錠するか、それが困難なときは体当たりするとかバール等を使って強引に扉、ヒンジ部分を破壊するしかなかった。
これに対し本発明では、密閉されたトイレ等の内部において非常事態が発生したとき、外側からの手荒な操作が全く不要で、下部ヒンジとしてグレビテイヒンジを用いた開き戸の扉下部を容易に取外し、密閉状態を開放可能な非常対策付きヒンジを得ることを目的とする。
【０００５】
【課題を解決するための手段】
この目的を達成するために、請求項１の発明にあっては、
開き戸の枠体下部に固着された垂直基板と突出する水平基板とで形成された下部支持材の該水平基板に立設される下部軸に嵌着され上向き傾斜カム面を有する下側カム部と、扉下部に固着された扉取付材に装着され下向き傾斜カム面を有する上側カム部との該各傾斜カム面を向合わせて前記下部軸回り前記扉を開閉可能とした下部ヒンジであって、外れ止め具を用い前記下部軸を通常時にあっては該外れ止め具との係止によって前記水平基板に固定し、非常時にあっては係止解除により前記下部軸を前記水平基板から脱落せしめ、前記扉下部を取外し可能とした非常対策付きヒンジにより解決した。
請求項２の発明にあっては、イ）外れ止め具は一方側に略Ｕ字形の切欠部が穿設された止め板の一対を垂直基板に嵌着可能な間隔で平行におき他方端を繋ぎ、一方端は開口状態とされて略コ字形に形成され、ロ）下部軸は中部から上部は円柱部とし、下部に該円柱部より僅かに大きい円に内接する多角形縁部と、該多角形縁部の中間に間隔をおいて一対の円形細溝をおき、該円形細溝に前記切欠部が嵌合可能とされ、ハ）水平基板には前記多角形縁部が嵌合可能な多角形孔が穿設され、ニ）前記円形細溝に案内されて前記切欠部を水平基板の自由端部側より押込み、前記下部軸を前記外れ止め具と係止させる請求項１に記載の非常対策付きヒンジとすることができる。
請求項３の発明にあっては、イ）外れ止め具はピン状で直線部を含み、ロ）下部軸は中部から上部は円柱部とし、下部に前記円柱部より僅かに大きい円に内接する多角形縁部と、下端部に該縁部より僅かに大きいフランジとが連設され、該縁部に該下部軸の軸芯を通り直交する前記直線部が挿入可能な止め孔が穿設され、ハ）下側カム部外側の円筒状体の下端部周囲に前記縁部の角数と同数の前記直線部が挿入可能な周辺孔が穿設され、ニ）水平基板には前記多角形縁部が嵌合可能な多角形孔が穿設され、ホ）前記外れ止め具の直線部を前記周辺孔から前記止め孔に挿入し、前記下部軸を外れ止め具と係止させる請求項１に記載の非常対策付きヒンジとすることができる。
【０００６】
【発明の実施の形態】
本発明の実施の形態を図面に基づき以下詳細に説明する。
図１は、本発明の非常対策付きヒンジの第一例の各構成要素の分解斜視図である。
図２は、図１の非常対策付きヒンジの組立斜視図及び操作説明図である。
図３は、図１の非常対策付きヒンジヒンジ、対で用いられる上部ヒンジ、扉及び枠体との取合い関係を示す概略斜視図である。
図４は、図１の非常対策付きヒンジヒンジを用いた扉の作動及び非常時の開放手順を説明する概略平面図である。
図５は、本発明の非常対策付きヒンジの第二例の各構成要素の分解斜視図及び組立斜視図である。
各構成要素の位置関係の説明は開き戸の使用状態で行い、扉の軌跡が移動する側を内側とし、その反対側を外側とし、外側から内側を見て前後、上下、左右として説明する。
又以下の説明では、図３、４に示す通り、使用時に便器Ｔの周囲が囲まれ密閉されているトイレ等において、外側より視て左側の左枠体Ｙ１と右側の右枠体Ｙ２間に扉Ｘを配設し、扉Ｘの左縁側に上部ヒンジ９、下部ヒンジとしての本発明の非常対策付きヒンジ１又は１０、及び右縁側にスライド式のロックボルト２０を取付けた例によっているが、施工現場に合わせ上下ヒンジ及びロックボルトを左右入替えて配設することもできる。又左枠体Ｙ１と床面Ｇとの間には空間をおき幅木Ｚ１及び右枠体Ｙ２と床面Ｇとの間に空間をおき幅木Ｚ２がそれぞれ配設されている。ここで、幅木Ｚ１、Ｚ２を設けずにサポートを設けるだけにして大部分が空間にしてある場合もある。
更に、各構成要素は以下に説明する各図のものを施工現場に合わせ左右入替えた構成のものを用いることができる。又重複する構成要素は一部符号記載を省略してある。
【０００７】
図１において、本発明の第一例の非常対策付きヒンジ１の構成を説明する。
非常対策付きヒンジ１は、下部支持材２、下部軸３、外れ止め具４、下側カム部５、上側カム部６、上側カム嵌合部７及び扉取付材８を有している。ここで、下側カム部５、上側カム部６、上側カム嵌合筒７及び扉取付材８は、例えば特許文献１に記載の構成要素と同様である。
下部支持材２は、略方形板状の垂直基板２１と厚さｔ１の略Ｕ字形板状の水平基板２２とで略Ｌ字形に形成され、水平基板２２の右側に下部軸３が嵌合立設される回止めの多角形孔２２ａ（本例では８角形であるがこれに限定されず、角数は下側カム部５の変位調整ピッチに対応して決められる）が穿設され、垂直基板２１には全体適所に複数個（本例では４個であるがこれに限定されない）の例えば木ねじ等の固着具を挿通する取付孔２１ａがそれぞれ穿設されている。
下部軸３は、中部から上部は軸径ｄの円柱部３１で、下部に多角形孔２２ａに嵌合可能で軸径ｄより僅かに大きい円に内接する回止めの多角形（多角形孔２２ａと同角数）の上側縁部３２、中間縁部３３及び下側縁部３４とが中間の上下幅ｔ７で直径ｗ１の円形細溝３２ａ及び３３ａをおいて設けられている。ここで下部軸３は組立時において、縁部３２は上下幅ｔ４で下側カム部５が嵌着され、縁部３３は上下幅ｔ５で水平基板２２の多角形孔２２ａに遊嵌され、縁部３４は縁部３２、３３より狭い上下幅ｔ６で水平基板２２の下方に突出しておかれ、通常ｔ４＞ｔ５＝ｔ１＞ｔ６にとられる。
外れ止め具４は、左側中央部に前後幅ｗ２で略Ｕ字形の切欠部４１ａが穿設された厚さｔ３の止め板４１の一対を平行に上下間隔ｔ２をおき右端部を連結板４２で繋いで、左端部は開口状態とされ側面視において略コ字形に形成されている。ここで、ｗ２はｗ１に対し、ｔ２はｔ５に対し、ｔ３はｔ７に対しそれぞれ嵌合可能なようにプラス交差の僅かに大きくとられている。
【０００８】
下側カム部５は、外層の下端面がフラットで上端面に傾斜カム面５２、５２をもった円筒状体５１と、円筒状体５１の内層に下端面がフラットで上端面に傾斜カム面５３、５３をもち軸芯部に下部軸３の縁部３２に嵌着可能な多角形の中心孔５４ａを有する円筒状体５４とが固着されて形成されている。外層の傾斜カム面５２、５２は対称形で最も高い頂部から左右に振分けて最も低い谷部まで連続するなだらかな通常直線勾配にとられ、内層の傾斜カム面５３、５３は対称形で最も高い頂部から左右に振分けて最も低い谷部まで連続するなだらかな通常直線勾配にとられ、傾斜カム面５２と５３は位相が１８０度ずれて配設されている。
上側カム部６は、上部は外層の上端面が略フラットで下端面に傾斜カム面６２、６２をもった円筒状体６１と、円筒状体６１の内層に上端面が略フラットで下端面に傾斜カム面６３、６３をもった円筒状体６４とが固着されて形成され、略フラットな上端面に異形突起部６５及び一対の円形小突起６６が突設され、傾斜カム面６３、６３及び突起部６５の軸芯部に下部軸３の円柱部３１を通して摺動可能な円形中心孔６４ａが穿設されている。外層の傾斜カム面６２、６２は対称形で最も低い底部から左右に振分けて最も高い頭部まで連続するなだらかな通常直線勾配にとられ、又内層の傾斜カム面６３、６３は対称形で最も低い底部から左右に振分けて最も高い頭部まで連続するなだらかな通常直線勾配にとられ、各傾斜カム面６２と６３とは位相が１８０度ずれて配設されている。
下側カム部５の傾斜カム面５２、５２と上側カム部６の傾斜カム面６２、６２のカム線図は通常直線状で上下逆向き形状にとられ、下側カム部５の傾斜カム面５３、５３と上側カム部６の傾斜カム面６３、６３とのカム線図も同様に通常直線状で上下逆向き形状にとられている。
上側カム嵌合部７は、上側カム部６が傾斜カム面６２、６３が下向きに収納可能なように下端側より円筒状開口部７１ａをもち上端面には異形突起部６５が嵌着可能な異形開口部７１ｂと円形小突起６６と嵌着可能な一対の丸孔７１ｃをもった筒状体７１と、該筒状体７１の下端縁にフランジ７２とを有し、フランジ７２にノック溝７２ａが設けられている。
扉取付材８は、略Ｕ字形板状で、湾曲部側に筒状体７１が装着可能な嵌合孔８ａと全体適所に複数個（本例では４個で内１個は長孔）の取付孔８ｂが穿設され、扉取付材８裏面の嵌合孔８ａ近接位置にノック８ｃが突設されている。
下側カム部５、上側カム部６には、外層、内層のダブルカムが用いられているが、これに限定されず特許文献１に記載の一層のシングルカムであってもよい。
【０００９】
以下において、非常対策付きヒンジ１の組立てを説明する。
図１、２（ｃ）において、先ず下部軸３を多角形孔２２ａに立て、多角形の中間の縁部３３が多角形孔２２ａで隠れ、円形の細溝３２ａ、３３ａが水平基板２２の表裏面に見えるように置き、外れ止め具４を水平基板２２の右端側より矢印Ｐ方向に押込むと上下の止め板４１、４１の切欠部４１ａ部分が細溝３２ａ、３３ａ案内されて進み行止まった所で下部軸３に外れ止め具４が係止され、水平基板２２に下部軸３が強固に固定され円柱部３１が突出状態におかれた図２（ｂ）に示す状態となる。水平基板２２に固定された下部軸３に、上側より下側カム部５の多角形の中心孔５４ａを通し縁部３２嵌着し軸芯回りに回動不能で傾斜カム面５２、５３を上向きにして固定する。
一方、上側カム嵌合部７の開口部７１ａに下側より上側カム部６を傾斜カム面６２、６３を下向きにして挿着し、上端の異形開口部７１ｂに異形突起部６５を嵌着し丸孔７１ｃに円形小突起６６を嵌合溶着して固定し、上側カム嵌合部７の筒状体７１を扉取付材８の嵌合孔８ａに嵌着し、フランジ７２のノック溝７２ａにノック８ｃを係合かしめて上側カム嵌合部７を扉取付材８に固定する。
そして、図２（ａ）、３、４に示す通り、下部支持材２の垂直基板２１を取付孔２１ａに例えば木ねじ等の固着具を挿通し枠体Ｙ１側縁下方に螺合して固着し、水平基板２２は枠体Ｙ１側縁下方から垂直に突出状態におかれる。他方下部支持材２に対向する扉Ｘの側縁の近接位置に上側カム嵌合部７を埋込み、扉取付材８の取付孔８ｂに固着具を挿通し扉Ｘの下縁位置に螺合して固着する。
最後に、扉Ｘに取付けられた上側カム嵌合部７内の上側カム部６の円形中心孔６４ａを、枠体Ｙ１に取付けられた水平基板２２上の下部軸３の円柱体３１に通し下側カム部５の傾斜カム面５２、５３と上側カム部６を傾斜カム面６２、６３とがそれぞれ向合って接触状態におかれて、上側カム部６が固定された下部軸３回りに回動可能且つ下側カム部５の傾斜カム面５２、５３に案内されて上下可能なグレビテイヒンジとしての非常対策付きヒンジ１の通常時の組立が完了する。
【００１０】
次に、図５において、本発明の第二例の非常対策付きヒンジ１０の構成を説明する。
非常対策付きヒンジ１０は、下部支持材２、下部軸１１、外れ止め具１２、下側カム部１３、上側カム部６、上側カム嵌合部７及び扉取付材８を有している。
ここで、下部支持材２、上側カム部６、上側カム嵌合部７及び扉取付材８は、前記非常対策付きヒンジ１と同様の構成であり同一符号を用い、詳細説明及び一部図示を省略する。
下部軸１１は、中部から上部は軸径ｄの円柱部１１１と、下部に多角形孔２２ａに嵌合可能で軸径ｄより僅かに大きい円に内接する回止めの多角形で上下幅ｔ８の縁部１１２と、下端部に縁部１１２より僅かに大きい直径の円形フランジ１１３とが連設されている。ここでｔ８＞ｔ１にとられ、後述する下部軸１１の組付け時において、縁部１１２は水平基板２２の多角形孔２２ａに遊嵌されたとき、水平基板２２表面から縁部１１２の上部が突出し後述する下側カム部１３の中心孔１３４ａに嵌着可能とされ、縁部１１２の円形フランジ１１３の上端より上下間隔ｔ９の位置の多角形角部に下部軸１１の軸芯を通り直交する外れ止め具１２が嵌着可能な止め孔１１２ａが穿設されている。外れ止め孔１１２ａは、止め具１２によって下部軸１１が強固に固定されればよくので、貫通孔でもめくら孔でもよく、穿設位置は多角形角部でなく平面部であってもよい。
外れ止め具１２は、大部分の一端側が金属製ピン状の直線部１２ａと、僅かな他端部の折曲がった把手部１２ｂとからなり、直線部１２ａは止め孔１１２ａに挿入可能とされている。把手部１２ｂは本例に限られず小突起によってもよく、外れ止め具１２は少なくとも直線部１２ａを含むものであればよい。
下側カム部１３は、外層の傾斜カム面１３２、１３２をもった円筒状体１３１と、円筒状体１３１の内層に傾斜カム面１３３、１３３をもち軸芯部に下部軸１１の縁部１１２を嵌着可能な多角形の中心孔１３４ａを有する円筒状体１３４とが固着されて形成されている。傾斜カム面１３２、１３３及び円筒状体１４３の構成は前記下側カム部５の各構成と同様であるが、外層の円筒状体１３１は下端部周囲に縁部１１２の多角形の角数と同じ数の外れ止め具１２の直線部１２ａが挿入可能なアーチ形の周辺孔１３１ａが等間隔に穿設されている。周辺孔１３１ａは外れ止め具１２が外側より挿入可能な大きさ、形状であればアーチ形に限定されない。
ここで、下側カム部１３、上側カム部６は、外層、内層のダブルカムでなく特許文献１に記載の一層のシングルカムであってもよい。
【００１１】
以下において、非常対策付きヒンジ１０の組立てを説明する。
図５において、先ず止め孔１１２ａが水平基板２２の右側に向くようにして下部軸１１を水平基板２２下面側より多角形孔２２ａに立て、円形フランジ１１３が水平基板２２下面に当接して停止する位置で多角形の縁部１１２上部が水平基板２２表面から突出状態とする。下部軸１１の上端側より下側カム部１３の中心孔１３４ａを嵌着し、下部軸１１の軸芯に対する各傾斜カム面１３２、１３３の周方向位置を調整した後、外れ止め具１２の把手部１２ｂを持って直線部１２ａを水平基板２２の右側より矢印Ｐ方向に周辺孔１３１ａから止め孔１１２ａに通して挿入し下部軸１１に外れ止め具１２が係止され、下部軸１１が水平基板２２に強固に固定され円柱部１１１が突出状態におかれた図５（ｂ）に示す状態となり、傾斜カム面１３２、１３３を上向きに固定し通常時の状態とする。
その後の上側カム部６、上側カム嵌合部７及び扉取付材８の組立ては非常対策付きヒンジ１の場合と同様であり、詳細説明は省略する。
【００１２】
以下において、非常対策付きヒンジ１、１０の非常時の操作を説明する。
図２（ａ）（ｂ）に示す通常状態にあった非常対策付きヒンジ１において、非常事態が発生したとき、ロックされている扉Ｘを開けるには、外れ止め具４の止め板４１、４１を前記矢印Ｐと反対の矢印Ｑ方向に手又はドライバー等によって引出すと、図２（ｃ）に示す状態となり、外れ止め具４による下部軸３の係止が解除され、左枠体Ｙ１、右枠体Ｙ２と床面Ｇとの間には空間があり、その結果水平基板２２下面の下方に隙間があり、下部軸３は上下方向には何等支持する部材がなくなり、多角形孔２２ａを通過して水平基板２２の下方に落下するか、摩擦等によって落下しない場合でも僅かに手を加えるかし、いずれにしても容易に脱落する。これにより、軸芯が無くなってフリーとなった下側カム部５も脱落し扉Ｘの下縁は横方向に移動でき容易に取外しが可能となる。
図５（ｂ）に示す通常状態にあった非常対策付きヒンジ１０において、非常事態が発生したとき、外れ止め具１２を矢印Ｑ方向に手又はドライバー等によって引出すと、外れ止め具１２による下部軸１１の係止が解除され、下部軸１１は前記非常対策付きヒンジ１と同様上下方向には何等支持する部材がなくなり、前記軸３と同様に多角形孔２２ａを通過して水平基板２２の下方に脱落し、扉Ｘの下縁は横方向に移動でき容易に取外しが可能となる。
【００１３】
以下において、図３を参照して、非常対策付きヒンジ１、１０の対として用いられる扉Ｘの上部ヒンジ９の一例の構成について説明するが、ここでは特許文献１に記載と同様のものを用いている。しかし、この部分の構成はこの例に限定されず、公知の各種の変形例があり、例えば特許文献２の記載のものが用い得る。
上部ヒンジ９は、上部支持材９１、抜止め具９２、上部軸９３、ピボット嵌挿筒（図示省略）及び扉取付材９４を有している。
上部支持材９１は、板状の垂直基板９１１と水平基板９１２とで略Ｌ字形に形成され、水平基板９１２の一端の自由端部側には円形開口部９１２ａが穿設されている。垂直基板９１１の全体には万遍なく複数個の例えば木ねじ等の固着具を挿通する取付孔９１１ａがそれぞれ穿設されている。ここで、円形開口部９１２ａには通常無給油軸受けとして例えばナイロン、弗素、ウレタン等の合成樹脂製軸受けを嵌着するのが好ましい。
抜止め具９２は、水平基板９１２の自由端縁側より矢印Ｐ方向に該水平基板９１２に嵌着可能な長方形断面の空間部９２ａをもち下面側に細長の差込開口部９２ｂが穿設されている。
扉取付材９４は水平板状で、図示省略するが一端部に下方に突設され内側に下部大径円筒状で上部小径円筒状の段付き円形の開口部９４ａをもった外側円筒状のピボット嵌挿筒を有し、他端部側には万遍なく複数個の固着具を挿通可能な円形の取付孔９４ｂが穿設されている。
上部軸９３は、下部がピボット嵌挿筒に嵌挿された円柱状で、ピボット嵌挿筒内の大径円筒状部に装着されたばね材（図示省略）により上部軸９３を上方に付勢し、上端からの加圧によって下降可能とされている。上部軸９３には上端面に細径の先端頭部９３ａが同芯状に連設され、円形開口部９１２ａと摺動可能な大きさとされている。
【００１４】
上部ヒンジ９の組立ては図３に示す通り、枠体Ｙ１側縁下方の下部支持材２の垂直基板２１の固着位置に対向する枠体Ｙ１側縁上方位置に垂直基板９１１の取付孔９１１ａに固着具を通して螺合して固着し、水平基板９１２は下方の水平基板２２と対向して水平に枠体Ｙ１側縁上方に突出状態におかれる。
他方上部支持材９１に対向する扉Ｘの上側縁の近接位置に穿設された孔にピボット嵌挿筒を埋込み、上部軸９３はボット嵌挿筒内に装着されたばね材により上方に付勢され先端頭部９３ａと共に扉Ｘの上側縁から上方に突出した状態で、扉取付材９４を取付孔９４ｂに固着具を通し扉Ｘに螺合して固着する。
最後に、扉Ｘに取付けられた水平基板９１２の円形開口部９１２ａに下側から扉Ｘの上側縁から上方に突出した上部軸９３の先端頭部９３ａをばね材に抗して下方に加圧しながら円形開口部９１２ａに嵌着した後加圧を無くし、抜止め具９２を水平基板９１２に右端縁側より空間部９２ａ及び差込開口部９２ｂを用いて矢印Ｐ方向に押込み、上部軸９３が円形開口部９１２ａに対し摺動可能且つ離脱不能とされ上部ヒンジ９の組立てが完了する。
【００１５】
更に以下において、上部ヒンジ９の非常時の操作を説明する。通常の扉Ｘ閉鎖時においては図４（ｂ）に示す通り、ロックボルト２０により施錠され、上部ヒンジ９は上部軸９３が上部支持材９１の円形開口部９１２ａを介して摺動可能且つ抜止め具９２によって離脱不能とされている。非常事態が発生したときは図４（ｃ）に示す通り、抜止め具９２を矢印Ｐと反対のＱ方向に引張り出した後、上部軸９３の先端頭部９３ａをばね材に抗して下方に加圧しながら円形開口部９１２ａとの嵌着を容易に外すことができる。このときロックボルト２０は施錠状態のままであってもよい。
扉Ｘの下縁は、下部ヒンジとしての非常対策付きヒンジ１、１０について前記した通り非常時の操作で容易に取外しが可能であるが、加えてこの上部ヒンジ９の非常時の操作により扉Ｘ全体を容易に取外せるので更に完璧に非常時事態に対処できる。
【００１６】
【発明の効果】
本発明の非常対策付きヒンジによれば、密閉されたトイレ等の内部において非常事態が発生したとき、外側からの手荒な操作が全く不要で、下部ヒンジとしてグレビテイヒンジを用いた開き戸の扉下部を容易に取外し、密閉状態を開放可能である。
【図面の簡単な説明】
【図１】本発明の非常対策付きヒンジの第一例の各構成要素の分解斜視図で、（ａ）斜め上方視、（ｂ）斜め下方視の各図である。
【図２】図１の非常対策付きヒンジの（ａ）組立斜視図，（ｂ）（ｃ）操作説明図である。
【図３】図１の非常対策付きヒンジヒンジ、対で用いられる上部ヒンジ、扉及び枠体との取合い関係を示す概略斜視図である。
【図４】図１の非常対策付きヒンジヒンジを用いた扉の（ａ）作動を示す概略平面図、（ｂ）（ｃ）非常時の開放手順を説明する概略平面図である。
【図５】本発明の非常対策付きヒンジの第二例の各構成要素の（ａ）分解斜視図、（ｂ）組立斜視図である。
【符号の説明】
１、１０  非常対策付きヒンジ
２  下部支持材
２１、９１１  垂直基板
２２、９１２  水平基板
２２ａ  多角形孔
３、１１  下部軸
３１、１１１  円柱部
３２、３３、３４、１１２  縁部
３２ａ、３３ａ  円形細溝
４、１２  外れ止め具
５、１３  下側カム部
５１、５４、１３１  円筒状体
５２、５３、６２、６３、１３２、１３３  傾斜カム面
５４ａ、６４ａ、１３４ａ  中心孔
６  上側カム部
７  上側カム嵌合筒
７１  筒状体
８  扉取付材
９  上部ヒンジ
１１２ａ  止め孔
１３１ａ  周辺孔
Ｘ  扉
Ｙ１、Ｙ２  枠体
【図１】
2004263530.tif 000003
【図２】
2004263530.tif 000004
【図３】
2004263530.tif 000005
【図４】
2004263530.tif 000006
【図５】
2004263530.tif 000007